(57)【要約】      （修正有）【課題】照明機能を兼ね備えた投影装置において、照明機能から投影機能へ切り替えた時、切り替えと同時に周囲が暗くなることでユーザにとって手元や周辺が見えづらく不便な状況となる。【解決手段】投影装置であって、照明として機能するための照明モードと、投影を行なうための投影モードと、照明モードと投影モードを切り替える切り替え手段と、映像有効領域外の画像処理手段と、を有し、切り替え手段により照明モードから投影モードへのモード切り替え指示を受けた際、投影画面３００の映像有効領域４００以外の領域を画像処理手段により黒以外の階調の画像となるように制御して投影を行なう。【選択図】図７
2019109272.tif 000002
【特許請求の範囲】
【請求項１】
投影装置であって、
照明として機能するための照明モードと、
投影を行なうための投影モードと、
前記照明モードと投影モード切り替える切り替え手段と、
映像有効領域外の画像処理手段と、
を有し、
前記切り替え手段により照明モードから投影モードへのモード切り替え指示を受けた際、
前記画像処理手段により投影画面の映像有効領域外を黒以外の階調の画像となるよう制御し投影を行なうことを特徴とする投影装置。
【請求項２】
請求項１に記載の投影装置であって、
投影するコンテンツの輝度を取得する輝度取得手段と
を備え、
前記輝度取得手段による取得情報に基づいて、前記画像処理手段により投影画面の映像有効領域外を黒以外の階調の画像となるよう制御するか否かを決定する投影装置。
【請求項３】
請求項１に記載の投影装置であって、
周辺環境光を測定する環境光測定手段と
を備え、
環境光測定手段による測定結果に基づいて、前記画像処理手段により投影画面の映像有効領域外を黒以外の階調の画像となるよう制御するか否かを決定する投影装置。
【請求項４】
請求項１に記載の投影装置であって、
時間を計測するための計時手段と
を備え、
前記画像処理手段により映像有効領域外を黒以外の階調の画像となるよう制御し投影を行なった後、前記計時手段により所定時間を計測した後に映像有効領域外を黒の階調の画像となるよう制御を行なうことを特徴とする投影装置。
【請求項５】
請求項１に記載の投影装置であって、
前記画像処理手段により映像有効領域外を黒以外の階調の画像となるよう制御し投影を行なった後、前記切り替え手段により投影モードへの切り替え指示を受信した時に、映像有効領域外を黒の階調の画像となるよう制御を行なうことを特徴とする投影装置。
【請求項６】
照明として機能するための照明モードと、投影を行なうための投影モードとを有する投影装置における投影方法であって、
前記照明モードと投影モード切り替える切り替え工程と、
前記切り替え工程により照明モードから投影モードへのモード切り替え指示を受けた際、
投影画面の映像有効領域外を黒以外の階調の画像を投影するように制御する制御工程を有することを特徴とする投影方法。
【発明の詳細な説明】
【技術分野】
【０００１】
本発明は照明機能を備えた投影装置に関し、特に照明機能から投影機能へ切り替えを行なった時の制御に関する。
【背景技術】
【０００２】
照明機能と投影機能を兼ね備えた装置が知られている（例えば特許文献１）。この装置では、光源は１つを有し該光源から照射される光を拡散または集光することを切り替えることで照明機能と投影機能を実現することができる。これにより、例えば既存の照明器具と同様の位置に設置することで、照明機能として利用でき、さらに投影機能に切り替えることで映像の投影も行うことが可能となる。
【０００３】
特許文献２においては、ある照度以下の環境において投影装置を使用している時、誤ってケーブルを抜去する、または未入力のポートに切り替えてしまったら高照度の画像等を投影することで、周辺環境が急激に暗くなる状態を回避する方法が開示されている。
【先行技術文献】
【特許文献】
【０００４】
【特許文献１】特開２０１３−１２５１６６号公報
【特許文献２】特開２０１６−３３５７３号公報
【発明の概要】
【発明が解決しようとする課題】
【０００５】
しかし、照明機能を兼ね備えた投影装置において、照明機能として動作している状態から映像コンテンツの表示を行なう投影機能に切り替えた場合、照明が消え、映像コンテンツの表示を行なう投影機能へ遷移することとなる。例えば上述の投影装置が１台設置された部屋において照明機能として動作している場合を考える。投影装置で投影するための映像コンテンツが主に低階調値の画素で構成される暗いコンテンツであった場合、投影開始と同時に照明機能から投影機能に切り替わり周囲が暗くなることが想定され、ユーザにとって手元や周辺が見えづらく不便な状況となり得る。
【０００６】
本発明は上述に鑑みて成されたものであり、照明機能を兼ね備えた投影装置において、照明機能から投影機能へ切り替えた時に周辺環境が急に暗くなることを避けることが可能な投影装置を提供することを目的とする。
【課題を解決するための手段】
【０００７】
上記課題を解決するため、本発明の投影装置は、
照明として機能するための照明モードと、
投影を行なうための投影モードと、
前記照明モードと投影モード切り替える切り替え手段と、
映像有効領域外の画像処理手段と、
を有し、
前記切り替え手段により照明モードから投影モードへのモード切り替え指示を受けた際、
前記画像処理手段により投影画面の映像有効領域外を黒以外の階調の画像となるよう制御し投影を行なうことを特徴とする投影装置。
【発明の効果】
【０００８】
本発明によれば、投影機能と照明機能を兼ね備えた投影装置において、ユーザが照明機能から投影機能へ切り替えた時に映像有効領域外を黒以外の階調とすることで、周辺環境が急に暗くなることを避けることが可能となる。
【図面の簡単な説明】
【０００９】
【図１】本発明におけるスマートフォンとプロジェクタ概観を示す図。
【図２】本発明におけるスマートフォンの内部ブロック構成を示す図。
【図３】本発明におけるプロジェクタの内部ブロック構成を示す図。
【図４】本発明におけるプロジェクタの状態遷移を示す図。
【図５】実施例１におけるスマートフォンで投影するコンテンツ選択画面を示す図。
【図６】実施例１におけるスマートフォンとプロジェクタの制御シーケンスを示す図。
【図７】実施例１におけるスマートフォンから受信した画像の表示領域を示す図。
【図８】実施例２におけるプロジェクタの制御シーケンスを示す図。
【図９】実施例２における投影画像の例を示す図。
【図１０】実施例３におけるプロジェクタの制御シーケンスを示す図。
【図１１】実施例３におけるスマートフォンから受信した画像の表示領域を示す図。
【図１２】実施例３における投影画像の例を示す図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１１】
［実施例１］
本実施例では、情報処理装置としてスマートフォンと、投影装置として照明機能を兼ね備えたプロジェクタを例にとって説明する。図１は上述スマートフォンとプロジェクタとを示した図である。１００はスマートフォンであり、２００はプロジェクタを示している。図１においては夫々１台ずつ示しているが、１台のスマートフォン１００と複数台のプロジェクタ２００とでネットワークを構成することも可能である。
【００１２】
本実施例ではスマートフォン１００が同一ネットワーク内に複数存在するプロジェクタ２００を探索し、ユーザが選択した１台のプロジェクタと所定のプロトコルに基づいてセッションを確立し、画像データを転送してプロジェクタで投影するケースについて説明する。
【００１３】
＜スマートフォンの概要説明＞
図２は、本実施例のスマートフォンの主要な構成を示した図である。１００はスマートフォン本体である。１０１はスマートフォンの各ブロックを制御するための制御部である。制御部１０１はその他各ブロックへ接続されており、各ブロックへ制御指示やデータのやり取りなどのアクセスを行なうことが可能である。１０２は、イントラネット、インターネットから映像データ、画像データ、映像ファイル等の各種の情報データのファイル、その他の命令信号を送受信する通信部である。通信部１０２では、例えば、無線ＬＡＮといった通信方式を用いることができる。
【００１４】
１０３はＲＡＭであり、後述するＲＯＭ１０４に格納されているプログラムの展開用途や表示画像のフレームメモリ、その他一時情報の保持等に使用する。１０４はＲＯＭであり、画像データ、ユーザ設定データ等の各種の情報データを保存する内蔵メモリで半導体メモリ等で構成される。１０５は操作部であり、ユーザからの電源ＯＮ指示やスタンバイモード遷移指示等を受け付けることが可能である。１０６は表示部であり映像データ等の表示に用いる。またタッチセンサを内蔵しており、ユーザの操作に基づく情報を発行することが可能である。
【００１５】
１０７は表示制御部であり、制御部１０１がＲＯＭ１０４等から読み出した画像データを表示するよう表示部１０６を駆動する表示制御部である。１０８は撮像部であり、レンズやセンサなどで構成され、撮像した光を電気信号に変換することが可能である。１０９はバッテリであり、後述する電源部１１０へ電力供給を行なう。１１０は電源部であり、スマートフォン１００内の各ブロックへの電力供給を制御する。１１１は電源入力部であり、外部からの交流電力を受け入れ、所定の電圧に整流して電源部１１０に供給する。
【００１６】
＜スマートフォンの通常時動作の説明＞
ここで、スマートフォン１００の通常の動作について説明する。
【００１７】
本実施例のスマートフォンの制御部１０１は、操作部１０５により電源ＯＮの指示がなされたことにより、電源部１１０に各ブロックに電源を供給するように指示をだし、各ブロックを待機状態にする。そして、電源が投入された後、ＲＯＭ１０４より格納されているプログラムを読み出しＲＡＭ１０３へ展開する。展開されたプログラムに従い制御部１０１は各ブロックに対し初期化処理を行ない、表示部１０６へ定常状態における待ち受け画像データの表示指示を行う。また、スマートフォン１００のＲＡＭ１０３に格納されているプログラムにはＯＳ（Ｏｐｅｒａｔｉｎｇ  Ｓｙｓｔｅｍ）が含まれている。
【００１８】
スマートフォン１００は通信部１０２を介してインターネット上からＯＳ上で動作するアプリケーションプログラムを取得し動作させることが可能である。アプリケーションプログラムに基づき、制御部１０１は通信部１０２を介して外部装置と通信することもできる。例えば後述するプロジェクタ２００に対しネットワーク接続を行ない、スマートフォン１００の表示画像データを転送しプロジェクタ２００が投影を行なうというシステムを構築することもできる。スマートフォン１００は上述操作部１０５により電源ＯＦＦの指示がなされると、制御部１０１の指示に基づきユーザ設定データ等をＲＯＭ１０４へ格納し、各ブロックへ終了処理を行なうよう通信する。
【００１９】
＜プロジェクタの概要説明＞
図３は、本実施例のプロジェクタの主要な構成を示した図である。
【００２０】
２００はプロジェクタ本体である。２０１はプロジェクタの各ブロックを制御するための制御部である。制御部２０１はその他各ブロックへりバス（不図示）にて接続されており、各ブロックへの制御指示やデータのやり取り等のアクセスを行なうことが可能である。２０２は操作部であり、ユーザからの電源ＯＮ指示やスタンバイモード（待機状態）遷移指示等を受け付けることが可能である。２０３はプロジェクタの各ブロックへの電源供給を制御する電源部である。
【００２１】
２０４は液晶部であり、１枚の液晶パネルまたは３枚の液晶パネル等で構成されており、この液晶パネル上に画像が形成される。２０５は入力された画像信号に基づいて、液晶部２０４の液晶パネルに画像を形成させるための液晶駆動部である。２０６は液晶部２０４に光を供給する光源である。
【００２２】
２０７は光源２０６から発せられた光を液晶部２０４に供給することにより得られた光学像をスクリーン（不図示）に投影するための投影光学系である。投影光学系２０７には光拡散部（不図示）が含まれており、光路上に配置されている。光学系制御部２０９の指示に基づき、光を拡散させないで透過することと、光を拡散させて透過することが可能である。光拡散部としては、印加電圧により光の透過と拡散を制御できるＰＤＬＣ（Ｐｏｌｙｍｅｒ  Ｄｉｓｐｅｒｓｅｄ  Ｌｉｑｕｉｄ  Ｃｒｉｓｔａｌ）やリバースＰＤＬＣを用いることができる。或いは、光路への挿入と退避が可能な拡散板等の可動式の光学部材を用いてもよい。
【００２３】
２０８は光源２０６の光量等を制御するための光源制御部２０８である。２０９は投影光学系２０７のズームレンズやフォーカスレンズ等の動作を制御し、ズーム倍率や焦点調整、上述の光拡散部の制御等を行う光学系制御部である。２１４はイントラネット、インターネットから映像データ、画像データ、映像ファイル等の各種の情報データのファイル、その他の命令信号を送受信する通信部である。通信部２１４では、例えば、有線ＬＡＮや無線ＬＡＮ等の通信方式を用いることができる。上述したスマートフォン１００から転送される画像データを受信する等に用いることも可能である。
【００２４】
２１５は画像データ、ユーザ設定データ等の各種の情報データのファイルを保存する内部メモリであり、半導体メモリやハードディスク等で構成される。２１６は通信部２１４、後述するＵＳＢＩ／Ｆ２１７により得られた画像データに対し、制御部２０１の制御内容に基づき、液晶部２０４で表示するのに適した拡大、縮小、画像補正処理等を行う画像処理部である。
【００２５】
２１７は外部から映像データ、画像データ、映像ファイル等の各種の情報データのファイルを受け取る、又は外部に書き出す、ＵＳＢインターフェースである。また、ポインティングデバイスや、キーボード、ＵＳＢ型のフラッシュメモリ等も接続されることもある。２１８はプロジェクタ２００の動作時間、各ブロックの動作時間等を検出するタイマーである。
【００２６】
２１９はプロジェクタ２００の光源２０６の温度や液晶部２０４の温度などを計測する温度計である。２２０はプロジェクタ２００内部の熱を外部に放出するなどして、冷却するための冷却部であり、ファンやヒートシンク等で構成される。２２１は制御部２０１に指示に基づきエンコードされたファイルデータ等をデコードするファイル再生部である。２２２はプロジェクタ２００付属のリモコンやその他の機器からの赤外線を受信し、制御部２０１に信号を送る赤外線受信部である。２２３はプロジェクタ２００とスクリーン（不図示）の距離を検出し、焦点距離を検出する焦点検出部である。２２４はスクリーン（不図示）の方向を撮像する撮像部である。
【００２７】
２２８はプロジェクタ２００本体に配置され、プロジェクタの状態や警告等を表示する表示部である。２２９は表示部２２８を制御する表示制御部である。２３０はプロジェクタ２００本体を持ち運んで使用するとき等に、電力を供給するバッテリである。２３１は外部からの交流電力を受け入れ、所定の電圧に整流して電源部２０３に供給する電源入力部である。２３２はＲＡＭであり、ＲＯＭ２１５に格納されているプログラムの展開や投影画像のフレームメモリ等に使用する。２３３は測光部であり、プロジェクタ２００の周辺環境光を測定する。
【００２８】
＜プロジェクタの通常時動作説明＞
ここで、プロジェクタ２００の通常の動作について説明する。
【００２９】
本実施例のプロジェクタは電源入力部２３１に電源が接続されると、スタンバイモード（待機状態）に遷移するため、制御部２０１は電源部２０３へ各ブロックに電源を供給するよう指示をだす。スタンバイモードにおいて、制御部２０１は赤外受信部２２２や通信部２１４を動作可能な状態に遷移させており、プロジェクタ２００は外部装置からの指示が受信可能な状態に遷移しているものとする。次に、操作部２０２により投影モードに遷移するよう指示がなされたことにより、制御部１０１は投影動作に必要となる各ブロックへ電源を供給するよう電源部２０３に指示を出す。
【００３０】
そして、各ブロックへ電源が投入された後、制御部２０１は、光源制御部２０８に光源２０６からの発光を開始するように指示をだす。次に、制御部２０１は、焦点検出部２２３により得られた焦点の情報等から、投影光学系２０７を調整するよう光学系制御部２０９に指示をだす。光学系制御部２０９は、投影光学系２０７のズームレンズやフォーカスレンズを動作させてスクリーン画面上に投影光が結像するよう制御する。
【００３１】
このようにして、投影の準備が整う。またプロジェクタ２００の投影光学系２０７内部には光拡散部を備えており、白色光を投光し拡散することで照明モードとして動作することも可能である。そして、操作部２０２により電源ＯＦＦの指示がなされると、制御部２０１は各ブロックに終了処理を行うよう通信をする。そして、終了の準備が整うと、電源部２０３は待機時に動作させておくべき各ブロック以外への電源供給を順次終了しスタンバイモードへ遷移する。
【００３２】
ここで図４の状態遷移図を用いて、本実施例におけるプロジェクタ２００の各モードへの状態遷移について説明する。上述の通り、まず電源入力部２３１に電源が入力されるとプロジェクタ２００はＳＴ２０１のスタンバイモードへ遷移する。
【００３３】
次に操作部２０２または通信部２１４を介してユーザにより投影モードに遷移するよう指示が成されるとＳＴ２０２の投影モードへ遷移する。またスタンバイモードＳＴ２０１においてユーザから照明モードへ遷移するよう指示がなされるとＳＴ２０３の照明モードへ遷移する。照明モードＳＴ２０３と投影モードＳ２０２は相互にモードを行き来することが可能で、いずれもユーザ指示に基づいて遷移させることができる。また、投影モードＳＴ２０２または照明モードＳＴ２０３においてユーザから電源をＯＦＦするよう指示が成された時は、いずれもスタンバイモードＳＴ２０１へ遷移する。
【００３４】
以上の様に、プロジェクタ２００はユーザによる所定の操作に基づいてスタンバイモード、投影モード、照明モードを遷移することが可能である。照明モードへ遷移すると、プロジェクタ２００は投影光学系２０７内部の光拡散部を制御し、光源２０６から出力される光を拡散状態にする。
【００３５】
＜本件の特徴的な動作の説明＞
次に本発明の特徴的な動作として、スマートフォン１００にてユーザが投影するための画像を選択し、選択がプロジェクタ２００へ送信されると同時に、プロジェクタ２００が投影を開始する際のシーケンスについて図５、図６を元に説明する。なお、本実施例においては、スマートフォン１００とプロジェクタ２００の接続処理は確立しており、かつプロジェクタ１００は照明モードＳＴ２０３で動作し、ＰＤＬＣ等で光源の光を拡散させ設置環境を明るく照らしている状況を前提とする。以下特徴的な動作について説明する。
【００３６】
図５はスマートフォン１００における投影のための画像をユーザへ選択させるため、サムネイルとして各画像を一覧表示している様子を示している。１００１はスマートフォン１００の表示部１０６であり、サムネイルとしてスマートフォン１００がＲＯＭ１０４に保持している画像データを表示している。１００３は投影を開始するボタンＵＩであり、サムネイルを選択後、該投影ボタン１００３を押下することでプロジェクタ２００へ転送され投影が開始される。ここではサムネイル１００２の夜景画像が選択された場合について、図６のシーケンス図に基づいて説明する。
【００３７】
図６（ａ）（ｂ）は夫々スマートフォン１００、プロジェクタ２００の制御シーケンスを示している。ユーザが投影するための画像としてサムネイル１００２をタッチ操作等で選択すると、Ｓ１０１にて制御部１０１は選択操作に対応する割り込みを受け、タッチされたボタン（オブジェクト）に基づいた制御を実行する。ここではタッチされたことを受け、制御部１０１はタッチされたサムネイル１００２に紐付くＲＯＭ１０４に格納された実データの所在情報をＲＡＭ１０３へ展開する。次にＳ１０２にてユーザが投影ボタン押下したことで投影開始指示を受信すると、再度割り込みが発生し、上述所在情報を元にＲＯＭ１０４から画像データを読み出し、Ｓ１０３にて通信部１０２を介してプロジェクタ２００へ画像情報の送信処理を開始する。
【００３８】
続いて図６（ｂ）を元にプロジェクタ２００の制御シーケンスを説明する。プロジェクタ２００はＳ２０１にて通信部２１４を介して送られる画像データを待ち受ける。Ｓ２０１にて通信部２１４が画像データを受信すると、制御部２０１へ割り込みを通知し、それを受けて制御部２０１は通信部２１４を介して画像データを読み出し、ＲＡＭ２３２へ書き出す。次にＳ２０２にてプロジェクタ２００が自装置の現在の動作モードの確認を行なう。本実施例では前提として照明モードで動作しており、該モード状態を示す情報はＲＡＭ２３２に常時更新・保持されているものとする。
【００３９】
Ｓ２０２にて制御部２０１はＲＡＭ２３２から現在の動作モードを読み出す。照明モードを示す情報が読み出された場合は、Ｓ２０３にて制御部２０１は自装置を投影モードへ移行させる。具体的には、制御２０１がＰＤＬＣを非拡散状態とするため光学系制御部２０９を介しての印加電圧を制御する。ここで非拡散状態となることで、プロジェクタ２００の設置されている環境は照明が消えることになる。投影モードへの以降が完了すると、Ｓ２０４にて制御部２０１はスマートフォン１００から受信した画像データに付随して送信される解像度情報をＲＡＭ２３２へ読み出す。
【００４０】
次にＳ２０５にて制御部２０１は画像データおよび解像度情報を画像処理部２１６に与え、自装置の液晶部２０４に合わせて、アスペクト比を維持しつつスケーリング処理を実行するよう画像処理部２１６へ指示を出す。
【００４１】
ここで図７を用いてスケーリング処理について説明する。３００はプロジェクタ２００の液晶部の全領域を示しており、４００はスマートフォン１００から受信した画像データの表示領域を示している。プロジェクタ２００は１９２０Ｐｉｘｅｌ×１０８０Ｌｉｎｅの表示可能領域を有している。ここでスマートフォン１００から受信した画像データは１０８０Ｐｉｘｅｌ×１９２０Ｌｉｎｅとする。画像処理部２１６は制御部２０１より画像データおよび解像度情報を受け、図７の４００に示すようスケーリング処理が行われる。画像処理部２１６は制御部２０１の指示に基づいてアスペクト比を維持しつつスケーリング処理を実行し、６０７Ｐｉｘｅｌ×１０８０Ｌｉｎｅの画像をＲＡＭ２３２へ出力する。
【００４２】
Ｓ２０６にて制御部２０１はスケーリング後の画像をＲＡＭ２３２から読み出し、液晶部２０４に対しセンタリングするよう配置し、画像表示領域外を白とする画像データをＲＡＭ２３２へ書き出す。なお、ここでは画像表示領域外を白としたが、これに限らず中間調で表現しても良い。次にＳ２０７にて制御部２０１は該画像データを読み出し液晶部２０４にて該画像データを表示するよう液晶駆動部２０５へ指示を出し投影を開始させる。
【００４３】
以上のように、スマートフォン１００から画像データを受信し、照明モードから投影モードへ切り替えが行われる時、画像表示領域外を白にすることで、該画像表示領域外が補助光として働き、周辺環境が暗くなることを回避することができる。
【００４４】
［実施例２］
実施例１では画像表示領域外を白色とし、補助光として利用するケースについて説明した。本実施例では、実施例１を変形し、受信した画像データの平均輝度値に基づいて、画像表示領域外を白とするか黒とするか決定するケースについて説明する。なお本実施例では主に、実施例１から変形した点について説明する。
【００４５】
図９はプロジェクタ２００がスマートフォン１００から画像データを受信した後、受信した画像データの平均輝度値に基づいて、画像表示領域外を白とするか黒とするか決定する時の制御シーケンスを示している。ここではスマートフォン１００の制御及びプロジェクタ２００のＳ３０１乃至Ｓ３０５の処理は実施例１と同様であるため省略する。
【００４６】
プロジェクタ２００はＳ３０５にて液晶部２０４に合わせてスマートフォン１００から受信した画像データをスケーリングした後、受信した画像データの平均輝度レベルを算出する。次の式は平均輝度レベルの算出式を示している。
【００４７】
【数１】
2019109272.tif 000003
【００４８】
数１は所謂画像の平均輝度であるＡＬＬ（Ａｖｅｒａｇｅ  Ｌｕｍｉｎａｎｃｅ  Ｌｅｖｅｌ）算出式を示しており、各画素の輝度値の総和に対し総画素数で平均値を得ている。なお、画素値を２５５で割ることで最大輝度に対する比率を求めているが、例えば画像データがＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎｓ  Ｓｅｃｔｏｒ）６０１等で規定されるような、圧縮レンジ（１６−２３５）に基づく情報であれば、画素値を２３５で割ることで２３５を最大輝度とした比率を求めても良い。
【００４９】
また、ＡＬＬの他ガンマ補正を行なう前の所謂ＡＰＬ（Ａｖｅｒａｇｅ  Ｐｉｃｔｕｒｅ  Ｌｅｖｅｌ）を用いても良い。数１においてＹ（ｉ，ｊ）は輝度値を示しており、画像データがＹ色差情報に基づいて構成されている場合そのままＹ値を用いればよい。また画像データがＲＧＢ値に基づいて構成されている場合は、
【００５０】
【数２】
2019109272.tif 000004
【００５１】
数２の式に基づいてＲＧＢ各色の階調値の平均値を画素の輝度値として代用しても良い。数１に基づいてＳ３０６にて制御部２０１は受信した画像データの平均輝度レベルを算出する。
【００５２】
次にＳ３０７にて制御部２０１は算出した結果が所定値を下回るか否か比較演算を行なうことで判断する。ここで所定値とは、人間が視覚的に暗いと感じる値を基準として、適切な値を設定すれば良く、さらに光源２０６の出力光の光束を考慮して基準値を設定しても良い。図９（ａ）はＡＬＬ値が比較的低く算出される画像の例を示している。図９（ａ）のＡＬＬ値が基準値を下回ったとすると、Ｓ３０８へ遷移し画像表示領域外を白となる画像を生成し、液晶駆動部２０５を介して該生成した画像を液晶２０４にて表示するよう指示し投影を行なう。
【００５３】
図９（ｂ）はＡＬＬ値が比較的高く算出される画像の例を示している。図９（ｂ）のＡＬＬ値が基準値を上回ったとすると、Ｓ３０９へ遷移し画像表示領域外を黒となる画像を生成し、液晶駆動部２０５を介して該生成した画像を液晶２０４にて表示するよう指示し投影を行なう。なお、本実施例では画像データから算出したＡＬＬを元に制御を行なったが、例えばプロジェクタ２００の測光部２３３から得られる情報を元に制御を行なってもよい。測光部２３３はプロジェクタ２００周辺環境光を測定しており、照度（ルクス）で値を保持している。制御部２０１はＳ３０７にて測光部２３３から取得した情報が所定値に対し上回るか下回るかを元に判断を行なっても良い。
【００５４】
以上のように、投影する画像データのＡＬＬに基づいて画像表示領域外を白にするか黒にするか決定することで、画像データのＡＬＬ値が低い時のみ該画像表示領域外を白にすることができ、補助光として利用することで周辺環境が暗くなることを回避することができる。
【００５５】
［実施例３］
実施例１及び２では、スマートフォン１００から受信した画像データがプロジェクタ２００の液晶部２０４に合わせてスケーリング処理を行なった時、非表示領域が存在したがしかし、該画像データが液晶部２０４と一致した場合、非表示領域が存在しなくなる。そこで本実施例では一致した場合、白画像を表示するための領域を生成するため画像データに対して縮小スケーリング処理を行なうケースについて説明する。
【００５６】
なお、本実施例では主に、実施例１から変形した点について説明する。図１０はプロジェクタ２００がスマートフォン１００から画像データを受信した後、受信した画像データの解像度に応じてスケーリング処理を異ならせる時の制御シーケンスを示している。ここではスマートフォン１００の制御及びプロジェクタ２００のＳ４０１乃至Ｓ４０４の処理は実施例１と同様であるため省略する。
【００５７】
プロジェクタ２００はＳ４０４にて制御部２０１が受信した画像データと共に送られてくる解像度情報を通信部２１４から読み出すと、Ｓ４０５にて自装置の液晶部の解像度と一致するか比較演算を行なう。制御部２０１は比較の結果一致していると判断すると、Ｓ４０６へ遷移し受信画像を縮小スケーリングするよう画像処理部２１６へ指示を出す。縮小スケーリング処理においては非表示領域を確保するため一律の縮小率で処理を行なっても良く、ここでは一律２０％縮小処理がなされるものとする。
【００５８】
図１１は受信した画像データを２０％縮小しセンタリングした時の投影画像を示す図である。スマートフォン１００から受信した画像データが液晶部２０４と同等の解像度（即ち１９２０Ｐｉｘｅｌ×１０８０Ｌｉｎｅ）であった場合、水平、垂直方向共に２０％圧縮スケーリング処理が成され、１５３６Ｐｉｘｅｌ×８６４Ｌｉｎｅとなる。
【００５９】
Ｓ４０６にて制御部２０１の指示に基づいて画像処理部２１６が２０％のスケーリング処理を実行し、６０７Ｐｉｘｅｌ×１０８０Ｌｉｎｅの画像をＲＡＭ２３２へ出力する。Ｓ４０８にて制御部２０１はスケーリング後の画像をＲＡＭ２３２から読み出し、液晶部２０４に対しセンタリングするよう配置し、画像表示領域外を白とする画像データをＲＡＭ２３２へ書き出す。
【００６０】
図１２はスマートフォン１００からプロジェクタ２００が受信した画像を縮小スケーリングし画像表示領域外を白とした時の画像を示す図である。次にＳ４０９にて制御部２０１は該画像データを読み出し液晶部２０４にて該画像データを表示するよう液晶駆動部２０５へ指示を出し、投影を開始させる。また、Ｓ４０５における比較の結果が一致していないと判断されるとＳ４０７へ遷移し、画像処理部２１６は制御部２０１の指示に基づいてアスペクト比を維持しつつスケーリング処理を実行しＲＡＭ２３２へ出力する。
【００６１】
以上のように、液晶部２０４の解像度と受信した画像データの解像度が一致した時、縮小スケーリングすることで非表示領域を作り出し、該非表示領域を白とすることで補助光として働き周辺環境が暗くなることを回避することができる。なお、白とした後、所定時間経過後に該非表示領域を黒に戻すことも可能である。具体的にはＳ４０９の処理後に制御部２０１がタイマー２１８へ所定時間後に割り込みを通知するよう指示し、その指示を受けた時に、該非表示領域を黒として投影を行なうよう各部を制御しても良い。
【００６２】
その他、Ｓ４０９以降で再度ユーザから投影モードＳ２０２への切り替え指示を制御部１０１が操作部２０２等を介して受信したことをきっかけに、該非表示領域を黒として投影を行なうよう各部を制御しても良い。
【００６３】
以上、本発明の好ましい実施形態について説明したが、本発明はこれらの実施形態に限定されず、その要旨の範囲内で種々の変形及び変更が可能である。
【符号の説明】
【００６４】
１００  スマートフォン
１０１  制御部
１０２  通信部
１０３  ＲＡＭ
１０４  ＲＯＭ
１０５  操作部
１０６  表示部
１０７  表示制御部
１０８  撮像部
１０９  バッテリ
１１０  電源部
１１１  電源入力部
２００  プロジェクタ
２０１  制御部
２０２  操作部
２０３  電源部
２０４  液晶部
２０５  液晶駆動部
２０６  光源
２０７  投影光学系
２０８  光源制御部
２０９  光学系制御部
２１４  通信部
２１５  ＲＯＭ
２１６  画像処理部
２１７  ＵＳＢＩ／Ｆ
２１８  タイマー
２１９  温度計
２２０  冷却部
２２１  ファイル再生部
２２２  赤外線受信部
２２３  焦点検出部
２２４  撮像部
２２８  表示部
２２９  表示制御部
２３０  バッテリ
２３１  電源入力部
２３２  ＲＡＭ
２３３  測光部
【図１】
2019109272.tif 000005
【図２】
2019109272.tif 000006
【図３】
2019109272.tif 000007
【図４】
2019109272.tif 000008
【図５】
2019109272.tif 000009
【図６】
2019109272.tif 000010
【図７】
2019109272.tif 000011
【図８】
2019109272.tif 000012
【図９】
2019109272.tif 000013
【図１０】
2019109272.tif 000014
【図１１】
2019109272.tif 000015
【図１２】
2019109272.tif 000016